(57)【要約】【課題】ウエブサイトを介して写真のプリント及び写真アルバムを配信する。【解決手段】本発明によると、ユーザは、ウエブサイトにて会員登録し、ログインＩＤ及びパスワードの配布を受ける。写真アルバム作成サーバ装置側では、専門のカメラマンを幼稚園、学校等に派遣し、園児又は生徒の写真を撮影し、ウエブサイトに掲示する。会員登録したユーザは、ウエブサイトにて写真及び写真アルバムを申し込む。ユーザは、写真アルバムを自由に編集することができる。写真アルバム作成サーバ装置では、長期間に亘って、画像データを保存する。【選択図】  図１
2008021191.tif 000002
【特許請求の範囲】
【請求項１】
ウエブサイトに写真アルバム作成サービスのページを表示する写真アルバム作成サービスページ表示ステップと、
ユーザの端末装置から上記ウエブサイトを介して入力されたログインＩＤ及びパスワードを受信するパスワード受信ステップと、
上記パスワードを認証するパスワード認証ステップと、
上記パスワードが会員のものであることを認証した場合に、上記ユーザの端末装置に対して、会員専用のウエブページを表示する会員専用ページ表示ステップと、
上記会員専用ページにて上記ユーザが入力した検索条件を受信する検索条件受信ステップと、
上記検索条件に適合する画像を上記会員専用ページに表示する画像表示ステップと、
上記会員専用ページにて上記ユーザが選択した画像の写真プリントの申し込みを受信する写真プリント申し込み受信ステップと、
写真プリントの申し込み手続きが完了したことを上記会員専用ページに表示する手続き完了報告ステップと、
を含む写真アルバム作成方法。
【請求項２】
請求項１記載の写真アルバム作成方法において、上記検索条件受信ステップは、ユーザが入力した幼稚園名又は学校名、撮影年月日、及び、行事名のいずれかを検索条件として受信することを特徴とする写真アルバム作成方法。
【請求項３】
請求項１記載の写真アルバム作成方法において、上記画像表示ステップは、ユーザが入力した幼稚園名又は学校名、撮影年月日、及び、行事名のいずれかの検索条件に適合する画像を表示することを特徴とする写真アルバム作成方法。
【請求項４】
請求項１記載の写真アルバム作成方法において、上記会員専用ページにてアルバムのテンプレートを表示するアルバムテンプレート表示ステップと、
上記会員専用ページにて上記ユーザが選択したテンプレートに上記ユーザが選択した画像を嵌め込み写真アルバムを編集する写真アルバム編集ステップと、
を含むことを特徴とする写真アルバム作成方法。
【請求項５】
請求項１記載の写真アルバム作成方法において、ユーザの端末装置から上記ウエブサイトを介して入力されたユーザの個人情報を受信する個人情報受信ステップと、
上記個人情報を個人情報データベースに格納する個人情報格納ステップと、
上記ユーザの端末装置にログインＩＤ及びパスワードを、電子メールを介して送信するパスワード送信ステップと、
を含むことを特徴とする写真アルバム作成方法。
【請求項６】
ウエブサイトに写真アルバム作成サービスのページを表示する写真アルバム作成サービスページ表示ステップと、
ユーザの端末装置から上記ウエブサイトを介して入力されたログインＩＤ及びパスワードを受信するパスワード受信ステップと、
上記パスワードを認証するパスワード認証ステップと、
上記パスワードが会員のものであることを認証した場合に、上記ユーザの端末装置に対して、会員専用のウエブページを表示する会員専用ページ表示ステップと、
上記会員専用ページにて上記ユーザの申し込みに従って個人別写真書庫を記憶装置の所定の領域に設定する写真書庫設定ステップと、
を含む写真アルバム作成方法。
【請求項７】
請求項６記載の写真アルバム作成方法において、上記個人別写真書庫に上記ユーザが指定した画像を格納する画像格納ステップと、
を有する写真アルバム作成方法。
【請求項８】
写真アルバム作成サービス用のウエブサイトを管理するウエブ管理部と、上記ウエブサイトのページにてユーザが入力したログインＩＤ及びパスワードを認証する認証管理部と、ユーザが選択した写真を用いて写真アルバムを作成する写真アルバム編集部と、写真及び写真アルバムを申し込んだユーザの課金処理を行う課金処理部と、会員の個人情報を格納するユーザ個人情報データベースと、写真の画像データを格納する画像データベースと、を有する写真アルバム作成システム。
【請求項９】
請求項８記載の写真アルバム作成システムにおいて、上記ウエブ管理部は、画像データを所定の期間保存することを特徴とする写真アルバム作成システム。
【請求項１０】
請求項８記載の写真アルバム作成システムにおいて、上記認証管理部は、ユーザから送信された個人情報をユーザ個人情報データベースに格納し、ユーザの電子メールアドレス宛にログインＩＤ及びパスワードを送信することを特徴とする写真アルバム作成システム。
【請求項１１】
請求項８記載の写真アルバム作成システムにおいて、上記ユーザ個人情報データベースは、画像識別記号毎に、幼稚園又は学校名、撮影年月日、行事名及び画像データを保存し、上記幼稚園又は学校名、撮影年月日、及び、行事名のいずれかを検索キーとすることができることを特徴とする写真アルバム作成システム。
【請求項１２】
請求項８記載の写真アルバム作成システムにおいて、上記ユーザ毎に写真を記憶する記憶領域を写真書庫として備えた個人別写真書庫データベースを有することを特徴とする写真アルバム作成システム。
【請求項１３】
請求項１記載の写真アルバム作成方法において、上記ウエブサイトはソーシャルネットワーキングサイトであることを特徴とする写真アルバム作成システム。
【発明の詳細な説明】
【技術分野】
【０００１】
本発明は、画像データをウエブサイトに掲載し、写真及び写真アルバムを配送する写真アルバム作成システムに関する。
【背景技術】
【０００２】
保育園、幼稚園等で行事があると父母、親類等が参加し、写真を撮影する。素人が写真の撮影を行うと失敗が多い。また、自分で撮影した写真を得ることはできるが、他人が撮影した写真を得ることはできない。職員が写真を撮影し、希望者に配布する場合もあるが、職員の仕事が増加する。さらに、写真をプリントし、写真アルバムを作成するには、時間と労力が必要である。また、写真を長期間に亘って個人的に管理するのは、困難である。
【特許文献１】特開２００３−１６２６４５号公報
【発明の開示】
【発明が解決しようとする課題】
【０００３】
保育園、幼稚園等における催し物、行事等において、写真の撮影及び写真アルバムの製作は、父母、職員にとって負担となる。しかしながら、両親にとって自分の子供の写真を保存したいとの要求は強い。
【０００４】
更に、幼稚園、小学校、中学校、高校、大学等の学校生活における全ての写真を自宅で管理するのは困難である。
【０００５】
本発明の目的は、保育園、幼稚園等における催し物、行事等において、写真の撮影及び写真アルバムの作成を父母、職員から解放することができるシステムを提供することにある。
【０００６】
更に、本発明の目的は、幼稚園、小学校、中学校、高校、大学等の学校生活における全ての写真を個人が自宅で管理する必要がないシステムを提供することにある。
【課題を解決するための手段】
【０００７】
本発明によると、ユーザは、ウエブサイトにて会員登録し、ログインＩＤ及びパスワードの配布を受ける。写真アルバム作成サーバ装置側では、専門のカメラマンを幼稚園等に派遣し、園児の写真を撮影し、ウエブサイトに掲示する。会員登録したユーザは、ウエブサイトにて写真及び写真アルバムを申し込む。ユーザは、写真アルバムを自由に編集することができる。写真アルバム作成サーバ装置では、長期間に亘って、画像データを保存する。ウエブサイトはソーシャルネットワーキングサイトであってよい。
【発明の効果】
【０００８】
本発明によると、保育園、幼稚園等における催し物、行事等において、写真の撮影及び管理の仕事を父母、職員から解放することができる。更に本発明によると、幼稚園、小学校、中学校、高校、大学等の学校生活における全ての写真を個人が自宅で管理する必要がない。
【発明の実施するための最良の形態】
【０００９】
図１に示すように、本発明による写真アルバム作成装置１０は、ウエブ管理部１１、認証管理部１２、写真アルバム編集部１３、個人別写真書庫作成管理部１４、課金処理部１５、配送管理部１６、ユーザ個人情報データベース１７、画像データベース１８、及び、個人別写真書庫データベース１９を有する。
【００１０】
写真アルバム作成装置１０は、写真アルバム作成サービスを提供する管理者（以下、単に管理者と称する。）のサーバコンピュータである。端末装置２１、２２、２３は、写真アルバム作成サービスを利用して写真のプリント、及び、写真アルバムの作成を希望するユーザのコンピュータである。写真アルバム作成装置１０と端末装置２１、２２、２３はインターネット等の通信ネットワーク３０によって接続されている。ユーザは、幼稚園、保育園等の園児の両親、小学校、中学校、高校等の生徒又はその両親である。
【００１１】
ウエブ管理部１１は、管理者が運営するウエブサイトの作成、更新、バナー広告、リンク等を管理する。認証管理部１２は、会員登録したユーザにログインＩＤ、及びパスワードを付与し、ユーザが入力したログインＩＤ、及びパスワードを認証する。写真アルバム編集部１３は、ユーザが選択した写真を用いて写真アルバムを作成する。
【００１２】
個人別写真書庫作成管理部１４は、ユーザ毎の写真書庫を作成し、それを個人別写真書庫データベース１９に格納し、管理する。課金処理部１５は、写真、写真アルバム、又は、写真書庫を申し込んだユーザの課金処理を行う。配送管理部１６は、写真及び写真アルバムをユーザが指定した宛先に郵送又は配送する。
【００１３】
ユーザ個人情報データベース１７は、写真アルバム作成システムの会員の個人情報を格納するデータベースである。会員の個人情報は、会員（親）の氏名、姓別、年齢、住所、郵便番号、メールアドレス、ログインＩＤ、パスワード、会員の子供の氏名、性別、年齢、幼稚園名、学校名等を含む。更に、写真及び写真アルバムの配送先の住所、郵便番号、氏名等を含む。配送先は、会員の住所であってもよいが、例えば、園児の祖父母等である。
【００１４】
画像データベース１８は、専属のカメラマンが撮像した写真の画像データを格納するデータベースである。画像データの保存期間は、５年、１０年、１５年、２０年等である。画像データは、撮像年月日、幼稚園名、学校名毎に格納されている。個人別写真書庫データベース１９には、ユーザ毎に、幼稚園、小学校、中学校、高校、大学等における記念写真、スナップ写真、思い出の写真等が格納される。
【００１５】
本例の写真アルバム作成システムを利用するには、先ず、本写真アルバム作成サービスの管理者と、幼稚園等の保育機関との間で、又は、小学校、中学校、高校、大学等の教育機関との間で、写真の撮影の契約を結ぶ。例えば、幼稚園を例に説明する。管理者は、幼稚園と契約を結ぶと、園長が指定した日時に、専用のカメラマンを幼稚園に派遣し、写真を撮る。
【００１６】
例えば、入園式、運動会、遠足、退園式等の行事、催し物がある場合である。写真の撮影には、デジタルカメラを用いる。カメラマンは、全ての園児及び先生が少なくとも数枚の写真に写るように、数百枚の写真を撮る。カメラマンが撮像した写真は、画像データベース１８に格納され、管理者が管理するウエブサイトに表示する。このウエブサイトを介して、写真及び写真アルバムの申し込みを行う。管理者は、ウエブサイトを介して申し込まれた写真又は写真アルバムを作成し、郵送にて、申し込み者に送信する。幼稚園は、管理者に写真の撮影を許可するが、それ以外の作業は、一切行わない。
【００１７】
図２を参照して、ユーザが写真アルバム作成システム（以下単にサーバ装置という。）に対して会員登録を行う手順を説明する。ステップＳ１０１にて、ユーザは、サーバ装置のウエブ管理部１１が提供するウエブサイトにアクセスする。ステップＳ２０１にて、サーバ装置のウエブ管理部１１は、ウエブページを表示する。ステップＳ１０２にて、ユーザは、会員登録の申し込みを行う。即ち、会員登録画面にて、保護者の氏名、年齢及び性別、園児の氏名、年齢及び性別、住所、郵便番号、メールアドレス、幼稚園又は学校名等の個人情報を入力し、送信する。ステップＳ２０２にて、サーバ装置の認証管理部１２は、個人情報をユーザ個人情報データベース１７に登録する。ステップＳ２０３にて、サーバ装置の認証管理部１２は、ユーザのメールアドレス宛に、パスワード、及び、ログインＩＤを送信する。ステップＳ１０３にて、ユーザは、パスワード、及び、ログインＩＤを電子メールで受信する。こうして個人情報の登録とパスワード及びログインＩＤの配布が完了すると、会員登録の手続きは完了する。以後、ユーザはサーバ装置が管理するウエブサイト上で会員ページにアクセスし、写真プリント及び写真アルバムの申し込みを行うことができる。
【００１８】
図３を参照して、会員であるユーザがサーバ装置に対して写真のプリントを申し込む手順を説明する。ステップＳ３０１にて、ユーザは、サーバ装置のウエブ管理部１１が提供するウエブサイトにアクセスする。ステップＳ３０２にて、ユーザは、ウエブページにて、パスワード及びログインＩＤを入力する。ステップＳ４０２にて、サーバ装置の認証管理部１２はパスワード及びログインＩＤを認証する。認証の結果、本人であると認証した場合には、ステップＳ４０３にて、サーバ装置のウエブ管理部１１はウエブサイトに会員ページを表示する。
【００１９】
ステップＳ３０３にて、ユーザは会員ページを開く。ステップＳ３０４にて、ユーザはサーバ装置の写真アルバム編集部１３が提供する写真アルバム編集機能を利用して、写真の選択又は写真アルバムの編集を行う。ステップＳ４０４にて、サーバ装置の写真アルバム編集部１３は写真アルバム編集機能を提供する。ステップＳ３０５にて、ユーザは、写真プリント又は写真アルバムの申し込みを行う。ステップＳ４０５にて、サーバ装置の課金処理部１５は、ユーザの課金処理を行う。ステップＳ４０６にて、サーバ装置は、申し込み手続きが完了したことをユーザのメールアドレスに、又は、ウエブページ上で報告する。ステップＳ３０６にて、ユーザは、申し込み手続きが完了したことの報告を受信する。ステップＳ４０７にて、サーバ装置の配送管理部１６は、写真及び写真アルバムをユーザが指定した宛先に郵送又は配送する。ステップＳ３０７にて、ユーザは、写真及び写真アルバムを受領する。
【００２０】
図４はサーバ装置のウエブ管理部１１によって提供されるウエブページの例を示す。図示のように、ウエブページには、「はじめてのお客さまへ」ボタン４０１、「会員の方へ」ボタン４０２、ログインＩＤの入力フィールド４０３、パスワード入力フィールド４０４、「ログイン」ボタン４０５、「Ｑ＆Ａ」ボタン４０６、「料金」ボタン４０７、「規約」ボタン４０８、「利用案内」ボタン４０９等の項目がある。
【００２１】
「はじめてのお客さまへ」ボタン４０１をクリックすると、会員登録用の入力フィールドが表示される。入力フィールドに会員の個人情報を記入し、送信ボタンをクリックすることにより、個人情報はウエブ管理部１１に送信される。入力フィールドに入力する個人情報は、上述のように、会員（親）の氏名、姓別、年齢、住所、郵便番号、メールアドレス、園児、生徒又は学生の氏名、性別、年齢、幼稚園名、学校名、写真及び写真アルバムの配送先の住所、郵便番号、氏名等を含む。
【００２２】
ユーザが会員の場合には、ログインＩＤの入力フィールド４０３にログインＩＤを入力し、パスワード入力フィールド４０４にパスワードを入力し、「ログイン」４０５をクリックすると、会員用ページが表示される。
【００２３】
「Ｑ＆Ａ」ボタン４０６をクリックすると、幼稚園及び学校向けのページ、及び、利用者向けのページが表示される。幼稚園及び学校向けのページには、幼稚園、学校で写真アルバム作成サービスを利用する方法等が表示され、利用者向けのページには保護者又は本人が写真アルバム作成サービスを利用する方法等が表示されている。「料金」ボタン４０７をクリックすると、写真のプリント及び写真アルバムの作成の代金及び送料が表示される。「規約」ボタン４０８をクリックすると、写真アルバム作成サービスを利用するユーザが同意すべき規則が表示される。「利用案内」ボタン４０９をクリックすると、利用案内が記載されたページが表示される。
【００２４】
図５はサーバ装置のウエブ管理部１１によって提供される会員用のウエブページの例を示す。図示のように、ウエブページには、「会員の皆様へお知らせ」ボタン５０１、「写真プリント」ボタン５０２、「写真アルバム作成」ボタン５０３、「写真検索」ボタン５０４、幼稚園又は学校名入力フィールド５０５、行事名入力フィールド５０６、撮影年月日入力フィールド５０７、「検索」ボタン５０８、及び「写真書庫作成」ボタン５０９が表示される。
【００２５】
「会員の皆様へお知らせ」ボタン５０１をクリックすると会員用のニュース、お知らせが表示される。幼稚園又は学校名入力フィールド５０５、行事名入力フィールド５０６、又は、撮影年月日入力フィールド５０７に、所定の項目を入力し、「検索」ボタン５０８をクリックすると、該当する写真がサムネイル形式で表示される。
【００２６】
「写真プリント」ボタン５０２をクリックし、写真検索を行うと、図６に示すように、該当する写真がサムネイル形式で表示される。「写真アルバム作成」ボタン５０３をクリックすると、図７に示すように、アルバムのテンプレートが表示される。「写真書庫作成」ボタン５０９をクリックすると、個人用の写真書庫が作成され、個人別写真書庫データベース１９に保存される。既に、写真書庫が作成されている場合には、そこに新たな写真を追加することができる。会員は、自分の写真書庫を何時でも見ることができるし、必要な場合には、配送を申し込むことができる。
【００２７】
図６(ａ)は、写真をサムネイル形式で表示した画面の例を示す。画面の左側の領域６０１は、検索結果の写真６０３が表示され、画面の右側６０２はユーザが選択した写真６０４を示す。図６（ｂ）は、左側の領域６０１の写真６０３の１つを拡大したものである。各写真６０３の下には、「拡大鏡マーク」６１０と「買い物カートマーク」６１１が付されている。写真のプリントを申し込み場合には、その写真の下の「買い物カートマーク」６１１をクリックすればよい。その写真は、右側の領域６０２に表示される。
【００２８】
写真の拡大像を表示する場合には、その写真の下の「拡大鏡マーク」６１０をクリックすればよい。その写真は、拡大されて画面上に表示される。サムネイル形式の写真をプリントアウトすることはできるが、拡大された写真をプリントアウトすることはできない。
【００２９】
図７は、アルバムのテンプレートを表示した画面の例を示す。各テンプレープの下には、「選択」と「編集」が付されている。「選択」をクリックすると、そのテンプレートが選択される。テンプレートは、写真を挿入するための切り抜き部が形成されている。切り抜き部は、円形、楕円形、星形、ハート形等の定形、ユーザが作成した自作形等によって形成される。テンプレートには、定型文を挿入することができる。定型文には、２０ｘｘ年ｘｘ月ｘｘ日うんどうかい、えんそく、にゅうえんしき等がある。
【００３０】
図８はテンプレートに写真をはめ込んでできたアルバムを示す。ユーザが選択したアルバムテンプレートにユーザが選択した写真がはめ込まれる。アルバムには、ユーザが選択し、書き込んだ日付け、行事名等の記載される。
【００３１】
図９は、画像データベース１８に格納されたデータの例を示す。ここでは幼稚園の場合を示す。画像データベース１８には、画像識別記号９０１、幼稚園名９０２、撮影年月日９０３、行事名９０４及び画像データ９０５を含む。ユーザは、画像データを検索するには、幼稚園名９０２、撮影年月日９０３、及び、行事名９０４のいずれかを検索キーとすることができる。各画像識別記号には、複数の画像データが格納されている。小学校、中学校、高校、大学等の場合には、幼稚園名９０２のフィールドに学校名が入る。
【００３２】
図１０は本発明による写真データ交換ネットワークの概念を示す。写真データ交換ネットワークは、写真データ交換装置１００と端末装置２１、２２、２３を有し、写真データ交換装置１０と端末装置２１、２２、２３はインターネット等の通信ネットワーク３０によって接続されている。
【００３３】
写真データ交換装置１００は、ソーシャルネットワーキングサイト（以下、SNS）を運営するサーバコンピュータである。端末装置２１、２２、２３はＳＮＳの参加者が用いるパーソナルコンピュータである。
【００３４】
SNSは、新たな知人関係を広げることを目的に開設された会員制のコミュニティ型のウエブサイトであり、「既存の参加者からの招待がないと参加できない」というシステムになっている。
【００３５】
SNSの参加者は、自分のプロフィールや写真をＳＮＳに公開する。参加者は、他の参加者のプロフィールや写真をＳＮＳ上で見ることができる。参加者は、ＳＮＳのアドレス帳に「友人」を登録することができる。また、ＳＮＳ上にて、友人に別の友人を紹介することもできる。ＳＮＳ内の友人のみが閲覧できる日記帳、ＳＮＳ内の友人間でのメッセージ交換に使う掲示板やカレンダー等が設けられている。本例では、ＳＮＳ内の参加者のみが閲覧できる写真を表示する機能を有する。
【００３６】
本例の場合、SNSの参加者は、幼稚園、保育園等の園児の両親等である。以下では、参加者は、幼稚園の園児の両親である場合を説明する。
【００３７】
写真データ交換装置１００は、ＳＮＳ管理部１０１、参加者登録認証管理部１０２、写真アルバム編集部１０３、課金処理部１０５、配送管理部１０６、参加者プロファイルデータベース１０７、画像データベース１０８、及び、個人別写真書庫データベース１０９を有する。ＳＮＳ管理部１０１は、ＳＮＳの作成、更新、ＳＮＳ上の参加者のプロファイルの公開、アドレス帳、日記帳、掲示板、カレンダー等の管理、バナー広告、リンク等を管理する。参加者登録認証管理部１０２は、参加を希望する者の資格審査を行い、審査に合格した者に参加者ＩＤ、及びパスワードを付与する。上述のように、参加者となるためには、既存の参加者からの招待が必要である。参加者登録認証管理部１０２は、参加者の個人情報及びプロファイルを参加者プロファイルデータベース１０７の登録する。更に、参加者登録認証管理部１０２は、参加者が入力した参加者ＩＤ、及びパスワードを認証する。
【００３８】
写真アルバム編集部１０３は、参加者がＳＮＳ上にて写真アルバムを作成する。個人別写真書庫作成管理部１０４は、ユーザ毎の写真書庫を作成し、それを個人別写真書庫データベース１０９に格納し、管理する。課金処理部１０５は、写真及び写真アルバムを申し込んだ参加者の課金処理を行う。配送管理部１０６は、写真及び写真アルバムを参加者が指定した宛先に郵送又は配送する。
【００３９】
参加者プロファイルデータベース１０７は、ＳＮＡの参加者のプロファイル及び個人情報を格納するデータベースである。参加者の個人情報は、参加者（親）の氏名、姓別、年齢、住所、郵便番号、メールアドレス、参加者ＩＤ、パスワード、園児の氏名、性別、年齢、幼稚園又は学校名等を含む。更に、写真及び写真アルバムの配送先の住所、郵便番号、氏名等を含む。配送先は、例えば、園児の祖父母等である。
【００４０】
画像データベース１０８は、専属のカメラマンが撮像した写真及び参加者から送信された写真の画像データを格納するデータベースである。画像データの保存期間は、５年、１０年、１５年、２０年等である。画像データは、撮像年月日、幼稚園又は学校名毎に格納されている。
【００４１】
個人別写真書庫データベース１０９には、ユーザ毎に、幼稚園、小学校、中学校、高校、大学等における記念写真、スナップ写真、思い出の写真等が格納される。
【００４２】
本例の写真アルバム作成システムを利用するには、先ず、本写真アルバム作成サービスの管理者と、幼稚園等の保育機関との間で、又は、小学校、中学校、高校、大学等の教育機関との間で、写真の撮影の契約を結ぶ。例えば、幼稚園を例に説明する。幼稚園とＳＮＳの管理者の間で、写真の撮影の契約を結ぶ。ＳＮＳの管理者は、園長が指定した日時に、専用のカメラマンを幼稚園に派遣し、写真を撮る。例えば、入園式、運動会、遠足、退園式等の行事、催し物がある場合である。写真の撮影には、デジタルカメラを用いる。
【００４３】
カメラマンは、全ての園児及び先生が少なくとも数枚の写真に写るように、数百枚の写真を撮る。カメラマンが撮像した写真は、画像データベース１０８に格納される。本例によると更に参加者から提供された写真が画像データベース１０８に格納される。こうして本例のＳＮＳでは、カメラマンが撮像した写真と参加者から提供された写真が閲覧可能である。
【００４４】
参加者は、ＳＮＳを介して、写真及び写真アルバムの申し込みを行う。管理者は、ＳＮＳを介して申し込まれた写真又は写真アルバムを作成し、郵送にて、申し込み者に送信する。幼稚園は、管理者に写真の撮影を許可するが、それ以外の作業は、一切行わない。
【００４５】
図１１を参照して、参加希望者が写真データ交換装置１００に対して参加者登録を行う手順を説明する。ステップＳ１１０１にて、参加希望者は、紹介者から、写真データ交換装置のＵＲＬ、及び、紹介者のＩＤが記載された電子メールを受信する。通常、この電子メールには、紹介者の写真が貼付される。ステップＳ１１０２にて、参加希望者は、写真データ交換装置のＳＮＳ管理部１０１が提供するウエブサイト、即ち、ＳＮＳにアクセスする。
【００４６】
ステップＳ１２０１にて、写真データ交換装置のＳＮＳ管理部１０１は、ＳＮＳのウエブページを表示する。ステップＳ１１０３にて、参加希望者は、参加者登録の申し込みを行う。即ち、参加者登録画面にて、参加希望者である保護者の氏名、年齢及び性別、園児の氏名、年齢及び性別、住所、郵便番号、メールアドレス、幼稚園又は学校名等の個人情報とを入力し、更に、参加希望者自身のプロファイルと紹介者のＩＤを入力し、送信する。ステップＳ１２０２にて、写真データ交換装置の参加者登録認証管理部１０２は、個人情報、紹介者ＩＤ及び参加希望者のプロファイルを参加者プロファイルデータベース１０７に登録する。
【００４７】
ステップＳ１２０３にて、写真データ交換装置の参加者登録認証管理部１０２は、参加希望者のメールアドレス宛に、パスワード、及び、参加者ＩＤを送信する。ステップＳ１１０４にて、参加希望者は、パスワード、及び、参加者ＩＤを電子メールで受信する。こうして参加希望者の個人情報及びプロファイルの登録とパスワード及び参加者ＩＤの配布が完了すると、参加希望者の参加者登録の手続きは完了する。以後、この参加希望者は、ＳＮＳの参加者として、ＳＮＳの参加者ページにアクセスし、写真データの交換、写真プリント及び写真アルバムの申し込みを行うことができる。
【００４８】
図１２を参照して、参加者が写真データ交換装置に対して写真のプリントを申し込む手順を説明する。ステップＳ１３０１にて、参加者は、写真データ交換装置のＳＮＳ管理部１０１が提供するＳＮＳにアクセスする。ステップＳ１３０２にて、参加者は、ＳＮＳのウエブページにて、パスワード及び参加者ＩＤを入力する。ステップＳ１４０２にて、写真データ交換装置の参加者登録認証管理部１０２はパスワード及び参加者ＩＤを認証する。認証の結果、登録された参加者であると認証した場合には、ステップＳ１４０３にて、写真データ交換装置のＳＮＳ管理部１０１はＳＮＳに参加者ページを表示する。
【００４９】
ステップＳ１３０３にて、参加者は参加者ページを開く。ステップＳ１３０４にて、参加者は写真データ交換装置の写真アルバム編集部１０３が提供する写真アルバム編集機能を利用して、写真の選択又は写真アルバムの編集を行う。ステップＳ１４０４にて、写真データ交換装置の写真アルバム編集部１０３は写真アルバム編集機能を提供する。ステップＳ１３０５にて、参加者は、写真プリント又は写真アルバムの申し込みを行う。ステップＳ１４０５にて、写真データ交換装置の課金処理部１０５は、参加者の課金処理を行う。ステップＳ１４０６にて、写真データ交換装置は、申し込み手続きが完了したことを参加者のメールアドレスに、又は、ＳＮＳのウエブページ上で報告する。ステップＳ１３０６にて、参加者は、申し込み手続きが完了したことの報告を受信する。ステップＳ１４０７にて、写真データ交換装置の配送管理部１０６は、写真及び写真アルバムを参加者が指定した宛先に郵送又は配送する。ステップＳ１３０７にて、参加者は、写真及び写真アルバムを受領する。
【００５０】
図１３は写真データ交換装置のＳＮＳ管理部１０１によって提供されるＳＮＳウエブページの例を示す。図示のように、ＳＮＳウエブページには、「紹介者からの紹介がないと参加者になれません」の表示１４０１、「参加者の方へ」の表示１４０２、参加者ＩＤの入力フィールド１４０３、パスワード入力フィールド１４０４、「ログイン」ボタン１４０５、「Ｑ＆Ａ」ボタン１４０６、「利用案内」ボタン１４０７、等の項目がある。
【００５１】
参加者は、参加者ＩＤの入力フィールド１４０３に参加者ＩＤを入力し、パスワード入力フィールド１４０４にパスワードを入力し、「ログイン」１４０５をクリックすると、参加者用ページが表示される。
【００５２】
「Ｑ＆Ａ」ボタン１４０６をクリックすると、ＳＮＳの概要、参加者になる方法等がＱ＆Ａ形式で表示される。「利用案内」ボタン１４０７をクリックすると、利用案内が記載されたページが表示される。
【００５３】
図１４は写真データ交換装置のＳＮＳ管理部１０１によって提供される参加者用のウエブページの例を示す。図示のように、ＳＮＳウエブページには、「参加者の皆様へお知らせ」ボタン１５０１、「写真プリント」ボタン１５０２、「写真アルバム作成」ボタン１５０３、「写真検索」ボタン１５０４、幼稚園又は学校名入力フィールド１５０５、行事名入力フィールド１５０６、撮影年月日入力フィールド１５０７、「検索」ボタン１５０８、及び「写真書庫作成」ボタン１５０９が表示される。
【００５４】
「参加者の皆様へお知らせ」ボタン１５０１をクリックすると参加者用のニュース、お知らせが表示される。幼稚園又は学校名入力フィールド１５０５、行事名入力フィールド１５０６、又は、撮影年月日入力フィールド１５０７に、所定の項目を入力し、「検索」ボタン１５０８をクリックすると、該当する写真がサムネイル形式で表示される。
【００５５】
「写真プリント」ボタン１５０２をクリックし、写真検索を行うと、図６に示すように、該当する写真がサムネイル形式で表示される。「写真アルバム作成」ボタン１５０３をクリックすると、図７に示すように、アルバムのテンプレートが表示される。「写真書庫作成」ボタン１５０９をクリックすると、個人用の写真書庫が作成され、個人別写真書庫データベース１９に保存される。既に、写真書庫が作成されている場合には、そこに新たな写真を追加することができる。参加者は、自分の又は他の参加者の写真書庫を何時でも見ることができるし、必要な場合には、配送を申し込むことができる。
【００５６】
図１５は、個人別写真書庫データベース１９に格納されたデータの例を示す。図示のように、写真書庫識別番号１６０１毎にデータが格納されている。写真書庫識別番号１６０１は、図１の例の場合には写真書庫作成を申し込んだ会員毎に付与され、図１０の例の場合には写真書庫作成を申し込んだ参加者毎に付与される。
【００５７】
以上、本発明の例を説明したが、本発明は上述の例に限定されるものではなく、特許請求の範囲に記載された発明の範囲にて様々な変更が可能であることは当業者に容易に理解されよう。
【図面の簡単な説明】
【００５８】
【図１】本発明による写真アルバム作成装置の構成の例を示す図である。
【図２】本発明による写真アルバム作成システムに対してユーザが会員登録を行う手順を説明する図である。
【図３】本発明による写真アルバム作成システムにおいて、会員であるユーザが写真のプリント及び写真アルバムを申し込む手順を説明する図である。
【図４】本発明による写真アルバム作成システムにおいて一般用のウエブページの例を示す図である。
【図５】本発明による写真アルバム作成システムにおいて会員用のウエブページの例を示す図である。
【図６】本発明による写真アルバム作成システムにおいて写真をサムネイルで表示した画面の例を示す図である。
【図７】本発明による写真アルバム作成システムにおいて写真アルバムのテンプレートの例を示す図である。
【図８】本発明による写真アルバム作成システムにおいて写真アルバムテンプレートに写真をはめ込んで作成した写真アルバムの例を示す図である。
【図９】本発明による写真アルバム作成システムにおいて画像データベースに格納されたデータの例を示す。
【図１０】本発明による写真データ交換装置の構成の例を示す図である。
【図１１】本発明による写真データ交換ネットワークに対して参加者登録を行う手順を説明する図である。
【図１２】本発明による写真データ交換ネットワークにおいて、参加者が写真のプリント及び写真アルバムを申し込む手順を説明する図である。
【図１３】本発明による写真データ交換ネットワークにおいてウエブページの例を示す図である。
【図１４】本発明による写真データ交換ネットワークにおいて参加者用のウエブページの例を示す図である。
【図１５】本発明による写真アルバム作成システム及び写真データ交換ネットワークにおいて個人別写真書庫データベースに格納されたデータの例を示す。
【符号の説明】
【００５９】
１０…写真アルバム作成装置、１１…ウエブ管理部、１２…認証管理部、１３…写真アルバム編集部、１４…個人別写真書庫作成管理部、１５…課金処理部、１６…配送管理部、１７…ユーザ個人情報データベース、１８…画像データベース、１９…個人別写真書庫データベース、２１、２２、２３…端末装置、３０…通信ネットワーク、１００…写真データ交換装置、１０１…ＳＮＳ管理部、１０２…参加者登録認証管理部、１０３…写真アルバム編集部、１０４…個人別写真書庫作成管理部、１０５…課金処理部、１０６…配送管理部、１０７…参加者プロファイルデータベース、１０８…画像データベース、１０９…個人別写真書庫データベース
【図１】
2008021191.tif 000003
【図２】
2008021191.tif 000004
【図３】
2008021191.tif 000005
【図４】
2008021191.tif 000006
【図５】
2008021191.tif 000007
【図６】
2008021191.tif 000008
【図７】
2008021191.tif 000009
【図８】
2008021191.tif 000010
【図９】
2008021191.tif 000011
【図１０】
2008021191.tif 000012
【図１１】
2008021191.tif 000013
【図１２】
2008021191.tif 000014
【図１３】
2008021191.tif 000015
【図１４】
2008021191.tif 000016
【図１５】
2008021191.tif 000017